【事件の表示】
　平成　８年特許願第１１６０４２号「冷凍機用圧縮機」拒絶査定不服審判事件〔平成　９年１１月２５日出願公開、特開平　９−３０３２６４〕について、次のとおり審決する。
【結　論】
　本件審判の請求は、成り立たない。
【理　由】
１．手続の経緯・本願発明
　本願は、平成８年５月１０日の出願であって、本願の特許請求の範囲の請求項１〜１２に係る発明は、平成１６年５月１２日付けの手続補正書により補正された明細書及び図面の記載からみて、その特許請求の範囲の請求項１〜１２に記載された事項により特定されるとおりのものと認められるところ、その請求項１に係る発明は次のとおりのものである（以下、この発明を単に「本願発明」という）。
「【請求項１】冷媒として塩素を含まない弗化炭素水素系の冷媒を使用し、密閉容器の内部に、圧縮機構を配した冷凍機用圧縮機において、
　圧縮機構の摺動部をなす部材間の硬度差をＨRC相当で１０以上に設定し、弗化炭素水素系の冷媒と相溶なエステル系油に正リン酸エステルを添加した潤滑油を用い、潤滑油はエステル系油にエポキシ系酸捕捉剤（ＡＣ）を添加してあり、正リン酸エステルの添加量ｘ（ｗｔ％）は、
　３＋ＡＣ添加量（ｗｔ％）×０．７１４＞ｘ≧０．２＋ＡＣ添加量（ｗｔ％）×０．７１４
の範囲としたことを特徴とする冷凍機用圧縮機。」
　
２．引用文献
　原査定の拒絶の理由に引用された、本願の出願前に頒布された刊行物である、特開平４−３１１６９５号公報（以下、「引用例１」という）、特開平５−１７７９２号公報（以下、「引用例２」という）には、次の事項が記載されている。
　
・引用例１：特開平４−３１１６９５号公報
ａ．「【０００１】【産業上の利用分野】本発明は
冷凍冷蔵装置
に用いられる圧縮機
ｂ．「【００２４】以下本発明の他の実施例について図面を参照しながら説明する。
　図２に本発明の他の実施例を示す圧縮機の断面図を示す。
５は圧縮機
６は密閉シェル
１０は
ローラ
ベーン１５
ローラ１０は
硬度をロックウェルＣスケールで３５に調整
ベーン１５は
硬度をロックウェルＣスケールで６０に調整
Ｒ１３４ａ
エステル系合成冷凍機油
ｃ．「【００３３】また、本実施例で使用した
リン酸トリクレジル
ｄ．上記記載ｂには、ローラ１０は硬度をロックウェルＣスケールで３５に調整し、ベーン１５は硬度をロックウェルＣスケールで６０に調整することが記載されている。この記載によれば、圧縮機５の摺動部をなすローラ１０とベーン１５間の硬度差を、ロックウェルＣスケールで２５に設定することが理解される。
　
　上記記載ａ〜ｄ及び図２、３の記載によれば、引用例１には、「冷媒としてＲ１３４ａを使用し、密閉シェル６の内部に、圧縮機５を配した冷凍冷蔵装置用圧縮機において、
　圧縮機５のローラ１０とベーン１５間の硬度差をロックウェルＣスケールで２５に設定し、Ｒ１３４ａと相溶なエステル系合成冷凍機油にリン酸トリクレジルを添加した潤滑油を用いた冷凍冷蔵装置用圧縮機。」の発明（以下、「引用例１記載の発明」という）が記載されているものと認められる。
　
・引用例２：特開平５−１７７９２号公報
ｅ．「【要約】【目的】フロン１２の代替冷媒である
フロン１３４ａ
の使用を可能ならしめる
冷凍機油
ｆ．「【特許請求の範囲】【請求項１】
エステル油
エポキシ基を２個以上保有するグリシジルエーテル化合物
ｇ．「【００１２】本発明におけるグリシジルエーテル化合物は上記のとおり分子中に２個以上のエポキシ基を保有しているところに特徴があり、例えばフェニルグリシジルエーテルの如く分子中にエポキシ基を１個しか保有しないモノエポキシ化合物に比べて
酸補捉効果が良好
ｈ．「【００１８】【作用】エステル油、アルキルベンゼン、鉱油の単独もしくは混合油にエポキシ基を２個以上保有するグリシジルエーテル化合物を添加することにより、エステル油の場合、
加水分解により生成する有機酸をエポキシ基が補捉し全酸価の上昇を抑制
腐食摩耗
金属石けんの生成
　上記記載ｅ〜ｈによれば、引用例２には、フロン１３４ａ用の冷凍機油としてエステル油を用いる際に、加水分解による腐食摩耗や金属石けんの生成を防止するために「エステル油に酸補捉効果が良好な、エポキシ基を２個以上保有するグリシジルエーテル化合物を含有せしめる」技術（以下、「引用例２記載の技術」という）が記載されているものと認められる。
　
３．対比
　本願発明と引用例１記載の発明とを対比すると、引用例１記載の発明の「Ｒ１３４ａ」は、本願発明の「塩素を含まない弗化炭素水素系の冷媒」、「弗化炭素水素系の冷媒」に相当する。以下同様に、「密閉シェル６」は「密閉容器」に、「圧縮機５」は「圧縮機構」に、「冷凍冷蔵装置用圧縮機」は「冷凍機用圧縮機」に、「ローラ１０とベーン１５間」は「摺動部をなす部材間」に、「硬度差をロックウェルＣスケールで２５」は「硬度差をＨRC相当で１０以上」に、「エステル系合成冷凍機油」は「エステル系油」に、「リン酸トリクレジル」は「正リン酸エステル」に相当する。
　したがって、本願発明と引用例１記載の発明とは、
「冷媒として塩素を含まない弗化炭素水素系の冷媒を使用し、密閉容器の内部に、圧縮機構を配した冷凍冷蔵装置用圧縮機において、
　圧縮機構の摺動部をなす部材間の硬度差をＨRC相当で１０以上に設定し、弗化炭素水素系の冷媒と相溶なエステル系油に正リン酸エステルを添加した潤滑油を用いた冷凍冷蔵装置用圧縮機。」
である点で一致し、次の点で相違する。
・相違点
　本願発明では、「潤滑油はエステル系油にエポキシ系酸捕捉剤（ＡＣ）を添加してあり、正リン酸エステルの添加量ｘ（ｗｔ％）は、
　３＋ＡＣ添加量（ｗｔ％）×０．７１４＞ｘ≧０．２＋ＡＣ添加量（ｗｔ％）×０．７１４
の範囲とした」ものであるのに対し、引用例１記載の発明では、潤滑油はエステル系油にエポキシ系酸捕捉剤を添加したものではない点。
　
４．相違点の検討、及び判断
　本願発明と引用例２記載の技術とを対比すると、引用例２記載の技術の「フロン１３４ａ」は、本願発明の「塩素を含まない弗化炭素水素系の冷媒」に相当する。以下同様に、「冷凍機油」は「潤滑油」に、「エステル油」は「エステル系油」に相当する。
　また、エポキシ基を２個以上保有するグリシジルエーテル化合物は、エポキシ系であるから、引用例２記載の技術の「酸補捉効果が良好な、エポキシ基を２個以上保有するグリシジルエーテル化合物」は、本願発明の「エポキシ系酸捕捉剤（ＡＣ）」に相当する。
　したがって、引用例２記載の技術は、塩素を含まない弗化炭素水素系の冷媒の潤滑油としてエステル系油を用いる際に、加水分解による腐食摩耗や金属石けんの生成を防止するために「エステル系油にエポキシ系酸捕捉剤（ＡＣ）を含有せしめる」技術である。
　
　してみると、引用例１記載の発明に引用例２記載の技術を適用して、潤滑油をエステル系油にエポキシ系酸捕捉剤（ＡＣ）を添加したものとすることは、当業者が容易に想到することである。
　また、正リン酸エステルの添加量ｘ（ｗｔ％）を、
　３＋ＡＣ添加量（ｗｔ％）×０．７１４＞ｘ≧０．２＋ＡＣ添加量（ｗｔ％）×０．７１４
の範囲とすることの根拠は、明細書、及び図面の記載を精査しても明らかでない。してみると、正リン酸エステルの添加量ｘを上記の範囲とすることは、設計において適宜行うことである。
　よって、相違点に関し、本願発明のように構成することは、引用例１記載の発明に引用例２記載の技術を適用して、当業者が容易になしえたものである。
　
　そして、本願発明によってもたらされる効果も、引用例１記載の発明、及び引用例２記載の技術から予測し得る程度のものである。
　
５．むすび
　以上のとおり、本願発明は、引用例１記載の発明、及び引用例２記載の技術に基づいて当業者が容易に発明をすることができたものであるから、特許法第２９条第２項の規定により特許を受けることができない。
　よって、結論のとおり審決する。